(57)【要約】【課題】接合目地用の型枠を堅固に押し付け固定することのできる簡単な型枠固定具、型枠固定装置、型枠、型枠固定方法および目地の施工方法を提供する。【解決手段】プレキャストコンクリートからなる上部柱１の下端部と床面２の間の接合目地３、または、上部柱１の下端部と下部柱の上端部の間の接合目地３を施工する際に接合目地３の周囲に設けられる型枠４を固定するための型枠固定具１００であって、型枠４の上方において上部柱１に設けたインサート６にボルト固定される柱固定片１０と、この柱固定片１０と接続し、型枠４を上部柱１および床面２、または、上部柱１および下部柱に向けて押し付け固定する押し付け片１２とを備えるようにする。【選択図】図２
2018091018.tif 000002
【特許請求の範囲】
【請求項１】
プレキャストコンクリートからなる上部柱の下端部と床面の間の接合目地、または、前記上部柱の下端部と下部柱の上端部の間の接合目地を施工する際に前記接合目地の周囲に設けられる型枠を固定するための型枠固定具であって、
前記型枠の上方において前記上部柱に設けたインサートまたは前記型枠の下方において前記下部柱に設けたインサートにボルト固定される柱固定片と、この柱固定片と接続し、前記型枠を前記上部柱および前記床面、または、前記上部柱および前記下部柱に向けて押し付け固定する押し付け片とを備えることを特徴とする型枠固定具。
【請求項２】
前記押し付け片に貫通して設けられたボルト孔と、このボルト孔に螺合して、前記型枠を上下方向に押圧するボルトをさらに備えることを特徴とする請求項１に記載の型枠固定具。
【請求項３】
前記押し付け片に貫通して設けられたボルト孔と、このボルト孔に螺合して、前記型枠を水平方向に押圧するボルトをさらに備えることを特徴とする請求項１または２に記載の型枠固定具。
【請求項４】
前記押し付け片は前記柱固定片よりも幅広であることを特徴とする請求項１〜３のいずれか一つに記載の型枠固定具。
【請求項５】
プレキャストコンクリートからなる上部柱の下端部と床面の間の接合目地、または、前記上部柱の下端部と下部柱の上端部の間の接合目地を施工する際に前記接合目地の周囲に設けられる型枠を固定するための装置であって、
請求項１〜４のいずれか一つに記載の型枠固定具を備えることを特徴とする型枠固定装置。
【請求項６】
プレキャストコンクリートからなる上部柱の下端部と床面の間の接合目地、または、前記上部柱の下端部と下部柱の上端部の間の接合目地を施工する際に前記接合目地の周囲に設けられる型枠であって、
請求項５に記載の型枠固定装置を備えることを特徴とする型枠。
【請求項７】
プレキャストコンクリートからなる上部柱の下端部と床面の間の接合目地、または、前記上部柱の下端部と下部柱の上端部の間の接合目地の周囲に設けられる型枠を固定する方法であって、
請求項１〜４のいずれか一つに記載の型枠固定具の前記押し付け片を前記型枠に当接配置するとともに、前記柱固定片を前記インサートにボルト固定することを特徴とする型枠固定方法。
【請求項８】
プレキャストコンクリートからなる上部柱の下端部と床面の間の接合目地、または、前記上部柱の下端部と下部柱の上端部の間の接合目地の周囲に型枠を固定した後、前記型枠を用いて前記接合目地を施工する方法であって、
請求項７に記載の型枠固定方法により前記型枠を固定した後、前記接合目地を施工することを特徴とする目地の施工方法。
【発明の詳細な説明】
【技術分野】
【０００１】
本発明は、例えばＰＣａ柱（プレキャストコンクリート柱）の下端部と床面との接合部の目地や、上部柱と下部柱の接合部の目地を施工する際に用いられる型枠を固定するための型枠固定具、型枠固定装置、型枠、型枠固定方法および目地の施工方法に関するものである。
【背景技術】
【０００２】
従来、ＰＣａ柱と下階側柱との接合目地や、ＰＣａ柱と床スラブとの床上目地を施工する場合には、事前に目地周囲の表面側を別のグラウトで土手状に固めておく方法やエサフォーム（登録商標）などの部材を目地に沿って土手状に設ける方法により、目地施工用の型枠をあらかじめ設けておき、後工程で目地に注入されるモルタルグラウトの漏れを防止するケースが大半である。これらの方法は、鉄筋のグラウト充填式機械式継手の施工要領としてＰＣａ柱のメーカーにより設定された方法であるが、次のような問題点がある。
【０００３】
（１）土手として使用するモルタル材の品質等の現場管理方法が不明確な場合がある。
（２）グラウトを目地に注入した際に、内部エアが袋小路状に目地内に留まり、硬化後に断面欠損が生じるおそれがある。
（３）エサフォーム（登録商標）を土手として使用する場合には、グラウト注入後に目地コテ仕上げが必要となり、作業手間やコストが増大する。また、グラウトとして使用するモルタルの性能や管理方法などを事前に把握しておく必要がある。
【０００４】
このような問題を解決するためのグラウト充填式機械式継手工法として、本出願人はマイティＳＶジョイント工法を既に提案している。この工法は、目地の周囲に設置した木製型枠内にモルタルを注入することで目地施工の一発仕上を可能とした方法である。型枠にはエア抜きを設け、目地内のエアや水湿しした水分の排除を確実に行えるようにしている。
【０００５】
しかしながら、この工法は、目地周囲への木製型枠の取付けに関して次のような問題があった。
（１）手掛かりの無いコンクリート表面に対して、型枠を堅固に押し付ける必要がある。この場合、現場の条件に応じて、簡単に取付け可能な押し付け金物（例えば、特許文献１を参照）などの型枠固定具が必要になってくる。
【０００６】
（２）型枠固定具の取付け方法として、上部柱側と下部側にインサート（雌ねじ）を埋設し、このインサートにボルトを螺合して型枠固定具を固定し、この型枠固定具で木製型枠を押さえ込む方法が考えられる。しかしながら、下部側が床版や現場打ちコンクリートで施工された下部柱などの場合には、一般にインサートを打つことができないため、上部柱側のインサートのみを頼りにして、型枠固定具を固定する必要がある。
【先行技術文献】
【特許文献】
【０００７】
【特許文献１】特開２０１６−１０８７３０号公報
【発明の概要】
【発明が解決しようとする課題】
【０００８】
このため、接合目地を施工する際にその周囲に設ける型枠を、堅固に押し付け固定することのできる簡単な型枠固定具の開発が求められていた。
【０００９】
本発明は、上記に鑑みてなされたものであって、接合目地用の型枠を堅固に押し付け固定することのできる簡単な型枠固定具、型枠固定装置、型枠、型枠固定方法および目地の施工方法を提供することを目的とする。
【課題を解決するための手段】
【００１０】
上記した課題を解決し、目的を達成するために、本発明に係る型枠固定具は、プレキャストコンクリートからなる上部柱の下端部と床面の間の接合目地、または、前記上部柱の下端部と下部柱の上端部の間の接合目地を施工する際に前記接合目地の周囲に設けられる型枠を固定するための型枠固定具であって、前記型枠の上方において前記上部柱に設けたインサートまたは前記型枠の下方において前記下部柱に設けたインサートにボルト固定される柱固定片と、この柱固定片と接続し、前記型枠を前記上部柱および前記床面、または、前記上部柱および前記下部柱に向けて押し付け固定する押し付け片とを備えることを特徴とする。
【００１１】
また、本発明に係る他の型枠固定具は、上述した発明において、前記押し付け片に貫通して設けられたボルト孔と、このボルト孔に螺合して、前記型枠を上下方向に押圧するボルトをさらに備えることを特徴とする。
【００１２】
また、本発明に係る他の型枠固定具は、上述した発明において、前記押し付け片に貫通して設けられたボルト孔と、このボルト孔に螺合して、前記型枠を水平方向に押圧するボルトをさらに備えることを特徴とする。
【００１３】
また、本発明に係る他の型枠固定具は、上述した発明において、前記押し付け片は前記柱固定片よりも幅広であることを特徴とする。
【００１４】
また、本発明に係る型枠固定装置は、プレキャストコンクリートからなる上部柱の下端部と床面の間の接合目地、または、前記上部柱の下端部と下部柱の上端部の間の接合目地を施工する際に前記接合目地の周囲に設けられる型枠を固定するための装置であって、上述した型枠固定具を備えることを特徴とする。
【００１５】
また、本発明に係る型枠は、プレキャストコンクリートからなる上部柱の下端部と床面の間の接合目地、または、前記上部柱の下端部と下部柱の上端部の間の接合目地を施工する際に前記接合目地の周囲に設けられる型枠であって、上述した型枠固定装置を備えることを特徴とする。
【００１６】
また、本発明に係る型枠固定方法は、プレキャストコンクリートからなる上部柱の下端部と床面の間の接合目地、または、前記上部柱の下端部と下部柱の上端部の間の接合目地の周囲に設けられる型枠を固定する方法であって、上述した型枠固定具の前記押し付け片を前記型枠に当接配置するとともに、前記柱固定片を前記インサートにボルト固定することを特徴とする。
【００１７】
また、本発明に係る目地の施工方法は、プレキャストコンクリートからなる上部柱の下端部と床面の間の接合目地、または、前記上部柱の下端部と下部柱の上端部の間の接合目地の周囲に型枠を固定した後、前記型枠を用いて前記接合目地を施工する方法であって、上述した型枠固定方法により前記型枠を固定した後、前記接合目地を施工することを特徴とする。
【発明の効果】
【００１８】
本発明に係る型枠固定具によれば、プレキャストコンクリートからなる上部柱の下端部と床面の間の接合目地、または、前記上部柱の下端部と下部柱の上端部の間の接合目地を施工する際に前記接合目地の周囲に設けられる型枠を固定するための型枠固定具であって、前記型枠の上方において前記上部柱に設けたインサートまたは前記型枠の下方において前記下部柱に設けたインサートにボルト固定される柱固定片と、この柱固定片と接続し、前記型枠を前記上部柱および前記床面、または、前記上部柱および前記下部柱に向けて押し付け固定する押し付け片とを備えるので、下部側にインサートなどが無くても上部柱に設けたインサートを介して型枠を堅固に押し付け固定することができるという効果を奏する。また、上部柱にインサートなどが無くても下部柱に設けたインサートを介して型枠を堅固に押し付け固定することができるという効果を奏する。
【００１９】
また、本発明に係る他の型枠固定具によれば、前記押し付け片に貫通して設けられたボルト孔と、このボルト孔に螺合して、前記型枠を上下方向に押圧するボルトをさらに備えるので、型枠を上下方向に押し付けることができる。このため、型枠固定具がインサートの打ち込み位置精度により上方向に若干ずれても、型枠の下部から接合目地用の材料が漏れ出ることを防止することができるという効果を奏する。
【００２０】
また、本発明に係る他の型枠固定具によれば、前記押し付け片に貫通して設けられたボルト孔と、このボルト孔に螺合して、前記型枠を水平方向に押圧するボルトをさらに備えるので、型枠を水平方向に押し付けることができるという効果を奏する。
【００２１】
また、本発明に係る他の型枠固定具によれば、前記押し付け片は前記柱固定片よりも幅広であるので、上部柱側に設けるインサート数を削減することができ、施工コストを削減することができるという効果を奏する。
【００２２】
また、本発明に係る型枠固定装置によれば、プレキャストコンクリートからなる上部柱の下端部と床面の間の接合目地、または、前記上部柱の下端部と下部柱の上端部の間の接合目地を施工する際に前記接合目地の周囲に設けられる型枠を固定するための装置であって、上述した型枠固定具を備えるので、下部側にインサートなどが無くても型枠を堅固に押し付け固定することができるという効果を奏する。
【００２３】
また、本発明に係る型枠によれば、プレキャストコンクリートからなる上部柱の下端部と床面の間の接合目地、または、前記上部柱の下端部と下部柱の上端部の間の接合目地を施工する際に前記接合目地の周囲に設けられる型枠であって、上述した型枠固定装置を備えるので、下部側にインサートなどが無くても型枠は堅固に押し付け固定されるという効果を奏する。
【００２４】
また、本発明に係る型枠固定方法によれば、プレキャストコンクリートからなる上部柱の下端部と床面の間の接合目地、または、前記上部柱の下端部と下部柱の上端部の間の接合目地の周囲に設けられる型枠を固定する方法であって、上述した型枠固定具の前記押し付け片を前記型枠に当接配置するとともに、前記柱固定片を前記インサートにボルト固定するので、下部側にインサートなどが無くても型枠を堅固に押し付け固定することができるという効果を奏する。
【００２５】
また、本発明に係る目地の施工方法によれば、プレキャストコンクリートからなる上部柱の下端部と床面の間の接合目地、または、前記上部柱の下端部と下部柱の上端部の間の接合目地の周囲に型枠を固定した後、前記型枠を用いて前記接合目地を施工する方法であって、上述した型枠固定方法により前記型枠を固定した後、前記接合目地を施工するので、下部側にインサートなどが無くても型枠を堅固に固定でき、接合目地を低コストで施工することができるという効果を奏する。
【図面の簡単な説明】
【００２６】
【図１】図１は、本発明に係る型枠固定具、型枠固定装置、型枠、型枠固定方法および目地の施工方法の実施の形態１を示す概略正面図である。
【図２】図２は、本発明に係る型枠固定具、型枠固定装置、型枠の実施の形態１を示す図であり、（１）は側断面図、（２）は正面図である。
【図３】図３は、本発明に係る型枠固定具、型枠固定装置、型枠の実施の形態１を示す概略斜視図である。
【図４】図４は、本発明に係る型枠固定具、型枠固定装置、型枠の実施の形態２を示す図であり、（１）は側断面図、（２）は正面図である。
【図５】図５は、上部柱と床面の接合目地と、上部柱と下部柱の接合目地が混在する場合の一例を示す概略正面図である。
【図６】図６は、本発明に係る型枠固定具、型枠固定装置、型枠の実施の形態３を示す概略側面図であり、（１）は上部柱のインサートにボルト固定した例、（２）は下部柱のインサートにボルト固定した例である。
【図７】図７は、上部柱と床面の接合目地と、上部柱と下部柱の接合目地が混在する場合の型枠固定具の配置例を示す概略正面図である。
【図８】図８は、本発明に係る型枠固定具、型枠固定装置、型枠の実施の形態４を示す概略正面図である。
【発明を実施するための形態】
【００２７】
以下に、本発明に係る型枠固定具、型枠固定装置、型枠、型枠固定方法および目地の施工方法の実施の形態を図面に基づいて詳細に説明する。なお、この実施の形態によりこの発明が限定されるものではない。
【００２８】
（実施の形態１）
まず、本発明の実施の形態１について説明する。
図１〜図３に示すように、本実施の形態１に係る型枠固定具１００は、矩形断面の上部柱１（ＰＣａ柱）の下端部と床面２の間の接合目地３の周囲に設けられる型枠４を固定するための型枠固定具である。型枠４は水平方向に延在する角型の木製型枠であり、上部柱１の四方側面の下端部を囲むように床面２上に配置される。この型枠４は、図２に示すように、上部柱１の側面から若干の間隔（例えば数ｍｍ）をおいて配置される。なお、図３に示すように、上部柱１の四隅に位置する型枠４の下部にはエア抜き用の孔５が設けられている。
【００２９】
型枠固定具１００は、図２に示すように、側面視でクランク形状をした金属製のものである。この型枠固定具１００は、型枠４の上方において上部柱１に設けてあるインサート６にボルト固定される矩形板状の柱固定片１０と、この柱固定片１０の下端部と接続し、型枠４を上部柱１および床面２に向けて押し付け固定する押し付け片１２とを備える。
【００３０】
柱固定片１０の略中央には縦長の長孔１４があけられている。この長孔１４は、上部柱１側に埋込むインサート６の取付け精度（上下、左右方向）の誤差に対処可能なように上下方向に長いルーズホールとなっている。長孔１４にはインサート固定ボルト１６が通されて上部柱１のインサート６に螺合している。なお、図２に示すように、柱固定片１０の上部の裏側には裏当て金１８が設けられており、柱固定片１０は上部柱１の側面との間に若干の間隔を確保しつつインサート６にボルト固定される。
【００３１】
押し付け片１２は、矩形版をＬ字型に屈曲させた側面視でＬ字板状のものであり、水平部１２ａと鉛直部１２ｂとからなる。水平部１２ａは型枠４の上面に、鉛直部１２ｂは型枠４の側面に配置される。水平部１２ａ、鉛直部１２ｂは型枠４の上面、側面に当接配置してもよいし、水平部１２ａ、鉛直部１２ｂと型枠４間に裏当て金などの部材を設けて、これらを介して配置してもよい。
【００３２】
なお、柱固定片１０と押し付け片１２の水平方向の側縁には、上部柱１と床面２から遠ざかる向きにフランジ２０が設けられている。このフランジ２０は型枠固定具１００の剛性を高めるためのものであり、省略することもできる。
【００３３】
また、本実施の形態に係る型枠固定装置は、上記の型枠４を固定するための装置であって、上述した型枠固定具１００を備えるものである。また、本実施の形態に係る型枠は、上述した型枠固定装置を備えるものである。また、本実施の形態に係る型枠固定方法は、上述した型枠固定具１００の押し付け片１２を型枠４に配置するとともに、柱固定片１０をインサート６にボルト固定するものである。また、本実施の形態に係る目地の施工方法は、接合目地３の周囲に上述した型枠固定方法により型枠４を固定した後、接合目地３を施工するものである。
【００３４】
本実施の形態によれば、接合目地３用の型枠４を堅固に押し付け固定することのできる簡単な型枠固定具１００、型枠固定装置、型枠、型枠固定方法および目地の施工方法を提供することができる。
【００３５】
また、床面２など下部側にインサートを設ける必要が無く、型枠４を確実に押し付け固定し、注入モルタルの漏れを防ぐことができる。さらに、型枠４を迅速に設置することが可能である。また、型枠４を強固に押し付け固定できるため、エア抜きによる断面欠損の無いモルタル品質が一定な接合目地３を施工することが可能である。
【００３６】
ところで、上記の実施の形態１の場合、上部柱１側に埋込むインサート６の取付け精度（上下・左右方向）の誤差に対処するために、インサート６に合わせる柱固定片１０の長孔１４は、上下方向のルーズホールとなっている。この場合、インサート固定ボルト１６を締めつけても、場合によっては、ルーズホールのため、型枠固定具１００が上方向に若干ずれてしまい、型枠４の下部からモルタルが漏れ出すおそれがある。
【００３７】
そこで、次に説明する本実施の形態２により、このような問題を解決する。
【００３８】
（実施の形態２）
次に、本発明の実施の形態２について説明する。
図４に示すように、本実施の形態２に係る型枠固定具２００は、上記の実施の形態１において、押し付け片１２の水平部１２ａに上下方向に貫通して設けられたボルト孔２２と、このボルト孔２２に螺合して、型枠４を上下方向に押圧する押圧ボルト２４をさらに備えたものである。なお、水平部１２ａと型枠４の上面の間には裏当て金２６が設けられており、押圧ボルト２４は裏当て金２６を介して型枠４を上下方向に押圧する。
【００３９】
このように、本実施の形態によれば、上下方向に型枠４を押さえる押圧ボルト２４を追加し、長孔１４のようなルーズホールがあっても、型枠４を押さえ付け可能である。このため、型枠固定具１００が上方向に若干ずれても、型枠４の下部から接合目地用のモルタルが漏れ出ることを防止できる。この型枠固定具２００の取付け作業手順としては、まず型枠４に押し付け片１２を配置して押圧ボルト２４で型枠４を押さえ込み、その後、インサート固定ボルト１６を締め付けて、柱固定片１０を上部柱１に固定する。
【００４０】
ところで、図５に示すように、上部柱１が高さの異なる床版６Ａと梁７の上に設置される場合がある。このような場合、上部柱１の一面において、下部側が床版６Ａのため床上目地になる部分Ａと、下部側が現場打ちコンクリートにより施工された下部柱８のため柱−柱目地になる部分Ｂとが存在することになる。この場合、それぞれの目地に応じて高さの異なる２本の型枠４が必要となり、これら異なる型枠４を上部柱１の一面で確実に押さえ付ける必要がある。特に、柱−柱目地の箇所では、下部側に床もインサートも無いため、上部柱１側のインサートからの反力のみで、確実に型枠４を押さえ付ける必要がある。
【００４１】
そこで、次に説明する本実施の形態３により、このような問題を解決する。
【００４２】
（実施の形態３）
次に、本発明の実施の形態３について説明する。
図６（１）に示すように、本実施の形態３に係る型枠固定具３００は、上記の実施の形態２において、下部柱８側に向けて型枠４を水平方向に押圧する押圧ボルト３０を備えたものである。ここで、押し付け片１２の鉛直部１２ｂには水平方向に貫通するボルト孔２８が設けられており、このボルト孔２８には押圧ボルト３０が螺合している。なお、図６（１）においては、水平部１２ａと型枠４の上面の間に設けられる裏当て金２６は図示を省略している。同様に、鉛直部１２ｂと型枠４の側面の間に設けられる裏当て金も図示を省略している。この構成では、押圧ボルト２４が裏当て金を介して型枠４を上下方向に押圧するとともに、押圧ボルト３０が裏当て金を介して型枠４を水平方向に押圧する。
【００４３】
この図６（１）の例は、上部柱１側のインサート６に柱固定片１０をボルト固定した事例であるが、本発明はこれに限るものではない。例えば、モルタル注入孔と型枠固定具を干渉させたくない場合などには、図６（２）の型枠固定具３０１に示すように、下部柱８側にインサート６を設け、このインサート６に柱固定片１０をボルト固定してもよい。この場合、型枠固定具３０１は、図６（１）の型枠固定具３００とは上下逆向きに配置されることとなる。なお、図６（２）においては、（１）に示した押圧ボルト２４、３０等の図示を省略している。このように、柱−柱目地の場合には、図６（１）のごとく柱固定片１０が型枠４の上方において上部柱１に設けたインサート６にボルト固定される構成としてもよいし、（２）のごとく柱固定片１０が型枠４の下方において下部柱８に設けたインサート６にボルト固定される構成としてもよい。
【００４４】
ところで、例えば図６（１）の構成では、上部柱１の側面に設けてある図示しないモルタル排出孔と型枠固定具の干渉を防止するため、型枠固定具を図７に示すような細い直線型（例えば幅３０ｍｍ程度）の固定具Ｃにすることが考えられるが、この場合、上記のように高さの異なる２本の型枠４を固定するためには、型枠４の長手方向に間隔をあけた少なくとも２箇所に型枠固定具Ｃを取付ける必要がある。型枠１本あたり２つの型枠固定具Ｃが必要となるので、柱１面に４個のインサートが必要となる。しかしながら、インサート数が増すと施工コストが増大するため、インサート数を削減することが施工コストを抑える上で望ましい。
【００４５】
そこで、次に説明する本実施の形態４により、このような問題を解決する。
【００４６】
（実施の形態４）
次に、本発明の実施の形態４について説明する。
図８に示すように、本実施の形態４に係る型枠固定具４００は、正面視で逆Ｔ字状のものであり、上記の実施の形態３の押し付け片１２を柱固定片１０よりも幅広の押し付け片３２としたものである。押し付け片３２の水平部３２ａ、鉛直部３２ｂの幅方向の両側には、それぞれ上下方向、水平方向に貫通したボルト孔が設けられており、各ボルト孔にはボルト２４、３０が螺合している。各ボルト２４、３０をねじ込むことで型枠４を上下方向および水平方向に押圧できるようになっている。
【００４７】
本実施の形態によれば、上部柱１側に設けるインサート数を削減することができる。したがって、施工コストを削減することができる。
【００４８】
さらに、接合目地３が、上部柱１の下端部と床面２の間の接合目地である場合や、上部柱１の下端部と下部柱８の間の接合目地である場合でも、下部側にインサートを設けることなく型枠４を確実に押し付け固定し、注入モルタルの漏れを防ぐことができる。また、型枠４を押える部位を幅広にしたことにより拘束効果を高めることができる。また、型枠４を強固に押し付け固定できるため、エア抜きによる断面欠損の無いモルタル品質が一定な接合目地を施工することが可能である。
【００４９】
以上説明したように、本発明に係る型枠固定具によれば、プレキャストコンクリートからなる上部柱の下端部と床面の間の接合目地、または、前記上部柱の下端部と下部柱の上端部の間の接合目地を施工する際に前記接合目地の周囲に設けられる型枠を固定するための型枠固定具であって、前記型枠の上方において前記上部柱に設けたインサートまたは前記型枠の下方において前記下部柱に設けたインサートにボルト固定される柱固定片と、この柱固定片と接続し、前記型枠を前記上部柱および前記床面、または、前記上部柱および前記下部柱に向けて押し付け固定する押し付け片とを備えるので、下部側にインサートなどが無くても上部柱に設けたインサートを介して型枠を堅固に押し付け固定することができる。また、上部柱にインサートなどが無くても下部柱に設けたインサートを介して型枠を堅固に押し付け固定することができる。
【００５０】
また、本発明に係る他の型枠固定具によれば、前記押し付け片に貫通して設けられたボルト孔と、このボルト孔に螺合して、前記型枠を上下方向に押圧するボルトをさらに備えるので、型枠を上下方向に押し付けることができる。このため、型枠固定具がインサートの打ち込み位置精度により上方向に若干ずれても、型枠の下部から接合目地用の材料が漏れ出ることを防止することができる。
【００５１】
また、本発明に係る他の型枠固定具によれば、前記押し付け片に貫通して設けられたボルト孔と、このボルト孔に螺合して、前記型枠を水平方向に押圧するボルトをさらに備えるので、型枠を水平方向に押し付けることができる。
【００５２】
また、本発明に係る他の型枠固定具によれば、前記押し付け片は前記柱固定片よりも幅広であるので、上部柱側に設けるインサート数を削減することができ、施工コストを削減することができる。
【００５３】
また、本発明に係る型枠固定装置によれば、プレキャストコンクリートからなる上部柱の下端部と床面の間の接合目地、または、前記上部柱の下端部と下部柱の上端部の間の接合目地を施工する際に前記接合目地の周囲に設けられる型枠を固定するための装置であって、上述した型枠固定具を備えるので、下部側にインサートなどが無くても型枠を堅固に押し付け固定することができる。
【００５４】
また、本発明に係る型枠によれば、プレキャストコンクリートからなる上部柱の下端部と床面の間の接合目地、または、前記上部柱の下端部と下部柱の上端部の間の接合目地を施工する際に前記接合目地の周囲に設けられる型枠であって、上述した型枠固定装置を備えるので、下部側にインサートなどが無くても型枠は堅固に押し付け固定される。
【００５５】
また、本発明に係る型枠固定方法によれば、プレキャストコンクリートからなる上部柱の下端部と床面の間の接合目地、または、前記上部柱の下端部と下部柱の上端部の間の接合目地の周囲に設けられる型枠を固定する方法であって、上述した型枠固定具の前記押し付け片を前記型枠に当接配置するとともに、前記柱固定片を前記インサートにボルト固定するので、下部側にインサートなどが無くても型枠を堅固に押し付け固定することができる。
【００５６】
また、本発明に係る目地の施工方法によれば、プレキャストコンクリートからなる上部柱の下端部と床面の間の接合目地、または、前記上部柱の下端部と下部柱の上端部の間の接合目地の周囲に型枠を固定した後、前記型枠を用いて前記接合目地を施工する方法であって、上述した型枠固定方法により前記型枠を固定した後、前記接合目地を施工するので、下部側にインサートなどが無くても型枠を堅固に固定でき、接合目地を低コストで施工することができる。
【産業上の利用可能性】
【００５７】
以上のように、本発明に係る型枠固定具、型枠固定装置、型枠、型枠固定方法および目地の施工方法は、例えばＰＣａ柱の下端部と床面との接合部の目地や、上部柱と下部柱の接合部の目地を施工する際に用いられる型枠を固定するのに有用であり、特に、型枠を堅固に押し付け固定するのに適している。
【符号の説明】
【００５８】
１  上部柱
２  床面
３  接合目地
４  型枠
５  孔
６  インサート
６Ａ  床版
７  梁
８  下部柱
１０  柱固定片
１２，３２  押し付け片
１２ａ，３２ａ  水平部
１２ｂ，３２ｂ  鉛直部
１４  長孔
１６  インサート固定ボルト
１８  裏当て金
２０  フランジ
２２，２８  ボルト孔
２４，３０  押圧ボルト
２６  裏当て金
１００〜４００  型枠固定具
【図１】
2018091018.tif 000003
【図２】
2018091018.tif 000004
【図３】
2018091018.tif 000005
【図４】
2018091018.tif 000006
【図５】
2018091018.tif 000007
【図６】
2018091018.tif 000008
【図７】
2018091018.tif 000009
【図８】
2018091018.tif 000010